(57)【要約】【課題】外気温の変動による温度制御能力の低下を、低廉なコストで、かつ、簡単に改善できる技術を提供することである。【解決手段】コンプレッサ部、コンデンサ部、エバポレータ部、及び冷媒流路を具備する温度制御システムにおいて、前記エバポレータ部への入力側冷媒流路と前記エバポレータ部からの出力側冷媒流路とが近接配置されていて、該出力側冷媒流路を通る冷媒によって該入力側冷媒流路を通る冷媒が冷却作用を受けるよう構成されてなる。【選択図】図１
2011242059.tif 000002
【特許請求の範囲】
【請求項１】
コンプレッサ部、コンデンサ部、エバポレータ部、及び冷媒流路を具備する温度制御システムにおいて、
前記エバポレータ部への入力側冷媒流路と前記エバポレータ部からの出力側冷媒流路とが近接配置されていて、該出力側冷媒流路を通る冷媒によって該入力側冷媒流路を通る冷媒が冷却作用を受けるよう構成されてなる
ことを特徴とする温度制御システム。
【請求項２】
出力側冷媒流路と入力側冷媒流路とが二重筒状に構成されてなる
ことを特徴とする請求項１の温度制御システム。
【請求項３】
出力側冷媒流路の外側に入力側冷媒流路が設けられてなる
ことを特徴とする請求項１又は請求項２の温度制御システム。
【請求項４】
出力側冷媒流路の内側に入力側冷媒流路が設けられてなる
ことを特徴とする請求項１又は請求項２の温度制御システム。
【請求項５】
冷媒が入力側冷媒流路を螺旋状に流れるようにガイド手段が設けられてなる
ことを特徴とする請求項１〜請求項４いずれかの温度制御システム。
【請求項６】
エバポレータ部に流入する冷媒量を調整する膨張弁、及び前記膨張弁の調整作動用センサを更に具備してなり、
前記センサは、出力側冷媒流路を通る冷媒によって入力側冷媒流路を通る冷媒が冷却作用を受けた後の位置に対応して配置されてなる
ことを特徴とする請求項１〜請求項５いずれかの温度制御システム。
【請求項７】
エバポレータ部に流入する冷媒量を調整する膨張弁、及び前記膨張弁の調整作動用センサを更に具備してなり、
前記センサは、出力側冷媒流路と入力側冷媒流路との二重筒状部の位置に対応して配置されてなる
ことを特徴とする請求項２〜請求項６いずれかの温度制御システム。
【請求項８】
容器および送風装置を更に具備し、冷媒流路の一部が前記容器内に存するよう構成されてなり、
前記送風装置からの送風によって前記容器内の液体が上下動する液面高さが前記容器内における冷媒流路の高さより高くなったり低くなったりするよう構成されてなる
ことを特徴とする請求項１〜請求項６いずれかの温度制御システム。
【請求項９】
コンプレッサ部とコンデンサ部との間に容器が設けられてなる
ことを特徴とする請求項８の温度制御システム。
【請求項１０】
エバポレータ部で冷媒を気化させることによる温度制御の方法において、
前記エバポレータ部からの出力側冷媒流路を通る冷媒により、前記エバポレータ部への入力側冷媒流路を通る冷媒を冷却する工程を有する
ことを特徴とする温度制御方法。
【請求項１１】
出力側冷媒流路と入力側冷媒流路とが二重筒状に構成されていて、前記出力側冷媒流路を通る冷媒により、前記入力側冷媒流路を通る冷媒を冷却する工程を有する
ことを特徴とする請求項１０の温度制御方法。
【請求項１２】
出力側冷媒流路を通る冷媒により、前記出力側冷媒流路の外周に配置された入力側冷媒流路を通る冷媒を冷却する工程を有する
ことを特徴とする請求項１０の温度制御方法。
【請求項１３】
出力側冷媒流路を通る冷媒により、前記出力側冷媒流路の内側に配置された入力側冷媒流路を通る冷媒を冷却する工程を有する
ことを特徴とする請求項１０の温度制御方法。
【請求項１４】
入力側冷媒流路において、冷媒を螺旋状に流す
ことを特徴とする請求項１０〜請求項１３いずれかの温度制御方法。
【請求項１５】
出力側冷媒流路を通る冷媒中に液体状態のものが残存するようエバポレータ部における冷媒の気化を制御する
ことを特徴とする請求項１０〜請求項１４いずれかの温度制御方法。
【発明の詳細な説明】
【技術分野】
【０００１】
本発明は温度制御技術に関する。
【背景技術】
【０００２】
従来からエアコンと言った各種の温度制御（調整）システムが知られている。温度制御システム（冷房（冷却）システム）の基本は、冷媒ガスをコンプレッサで圧縮して高圧・高温のものにした後、この高圧・高温ガスをコンデンサで冷却して液状のものにし、この液状の冷媒をエバポレータで気化させ、この気化時の蒸発熱で周囲の環境が冷却されるものである。
【先行技術文献】
【特許文献】
【０００３】
【特許文献１】特開平８−２８５３９０号公報
【特許文献２】特開平１０−４７８３３号公報
【発明の概要】
【発明が解決しようとする課題】
【０００４】
ところで、従来の空調式の温度制御システムにおいては、外気温が高くなり過ぎると、室内の冷房能力が低下し、或は、外気温が低くなり過ぎると、室内の暖房能力が低下すると言った如く、温度制御能力は外気温によって大きな制約を受けていた。例えば、外気温が４０℃にもなると、温度制御システムの冷房能力は殆ど機能せず、冷房停止状態になっていた。
【０００５】
従って、本発明が解決しようとする課題は、外気温の変動による温度制御（調整）能力の低下を、低廉なコストで、かつ、簡単に改善できる技術を提供することである。
【課題を解決するための手段】
【０００６】
前記の課題は、
コンプレッサ部、コンデンサ部、エバポレータ部、及び冷媒流路を具備する温度制御システムにおいて、
前記エバポレータ部への入力側冷媒流路と前記エバポレータ部からの出力側冷媒流路とが近接配置されていて、該出力側冷媒流路を通る冷媒によって該入力側冷媒流路を通る冷媒が冷却作用を受けるよう構成されてなる
ことを特徴とする温度制御システムによって解決される。
【０００７】
好ましくは、前記温度制御システムであって、前記出力側冷媒流路と前記入力側冷媒流路とが二重筒状に構成されてなることを特徴とする温度制御システムによって解決される。好ましくは、前記出力側冷媒流路の外側に前記入力側冷媒流路が設けられてなることを特徴とする温度制御システムによって解決される。或は、前記出力側冷媒流路の内側に前記入力側冷媒流路が設けられてなることを特徴とする温度制御システムによって解決される。
【０００８】
好ましくは、前記温度制御システムであって、冷媒が前記入力側冷媒流路を螺旋状に流れるようにガイド手段が設けられてなることを特徴とする温度制御システムによって解決される。
【０００９】
好ましくは、前記温度制御システムであって、前記エバポレータ部に流入する冷媒量を調整する膨張弁、及び前記膨張弁の調整作動用センサを更に具備してなり、前記センサは、前記出力側冷媒流路を通る冷媒によって前記入力側冷媒流路を通る冷媒が冷却作用を受けた後の位置に対応して配置されてなることを特徴とする温度制御システムによって解決される。
【００１０】
好ましくは、前記温度制御システムであって、前記エバポレータ部に流入する冷媒量を調整する膨張弁、及び前記膨張弁の調整作動用センサを更に具備してなり、前記センサは、前記出力側冷媒流路と前記入力側冷媒流路との二重筒状部の位置に対応して配置されてなることを特徴とする温度制御システムによって解決される。
【００１１】
好ましくは、前記温度制御システムであって、容器および送風装置を更に具備し、前記冷媒流路の一部が前記容器内に存するよう構成されてなり、前記送風装置からの送風によって前記容器内の液体が上下動する液面高さが前記容器内における冷媒流路の高さより高くなったり低くなったりするよう構成されてなることを特徴とする温度制御システムによって解決される。
【００１２】
好ましくは、前記温度制御システムであって、前記コンプレッサ部と前記コンデンサ部との間に前記容器が設けられてなることを特徴とする温度制御システムによって解決される。
【００１３】
前記の課題は、
エバポレータ部で冷媒を気化させることによる温度制御の方法において、
前記エバポレータ部からの出力側冷媒流路を通る冷媒により、前記エバポレータ部への入力側冷媒流路を通る冷媒を冷却する工程を有する
ことを特徴とする温度制御方法によって解決される。
【００１４】
好ましくは、前記温度制御システムであって、前記出力側冷媒流路と前記入力側冷媒流路とが二重筒状に構成されていて、前記出力側冷媒流路を通る冷媒により、前記入力側冷媒流路を通る冷媒を冷却する工程を有することを特徴とする温度制御方法によって解決される。例えば、前記出力側冷媒流路を通る冷媒により、前記出力側冷媒流路の外周に配置された前記入力側冷媒流路を通る冷媒を冷却する工程を有することを特徴とする温度制御方法によって解決される。或いは、前記出力側冷媒流路を通る冷媒により、前記出力側冷媒流路の内側に配置された前記入力側冷媒流路を通る冷媒を冷却する工程を有することを特徴とする温度制御方法によって解決される。
【００１５】
好ましくは、前記温度制御システムであって、前記入力側冷媒流路において、冷媒を螺旋状に流すことを特徴とする温度制御方法によって解決される。
【００１６】
好ましくは、前記温度制御システムであって、前記出力側冷媒流路を通る冷媒中に液体状態のものが残存するようエバポレータ部における冷媒の気化を制御することを特徴とする温度制御方法によって解決される。
【発明の効果】
【００１７】
本発明によれば、外気温による温度制御（調整）能力低下の悪影響が小さい。
【００１８】
例えば、従来のエアコンでは、外気温が４０℃にも到達すると、冷房能力が極端に低下する。すなわち、外気温が４０℃と言った高温条件下では、室内の温度を殆ど低下させることは出来ず、冷房装置は、恰も、作動（冷房）停止状態になってしまうと言っても過言ではなかった。
【００１９】
しかしながら、本発明によれば、外気温が４０℃の高温である場合でも、室内冷房能力の低下は非常に小さく、快適に過ごすことが出来た。
【図面の簡単な説明】
【００２０】
【図１】本発明の温度制御システム全体の概略図
【図２】本発明のエバポレータ部の正面図
【図３】本発明のエバポレータ部の平面図
【図４】本発明のエバポレータ部の側面図
【図５】本発明の入力側冷媒流路と出力側冷媒流路との構造図
【図６】本発明のコンプレッサ部とコンデンサ部との間に設けられた中央ドレンパン部の説明図
【発明を実施するための形態】
【００２１】
第１の本発明は、特に、空冷式の温度制御（調整）システムである。例えば、冷却（冷房）システムである。或は、冷却（冷房）・暖房システムである。家屋・ビル・輸送機器（自動車・電車・船舶・航空機など）・作業機器（コンバイン等の農機具やパワーシャベル等の建設機器）における室内の温度を調整（冷房・暖房）する為のシステムである。本システムはコンプレッサ部を具備する。本システムはコンデンサ部を具備する。本システムはエバポレータ部を具備する。本システムは冷媒流路を具備する。これ等の各部は、従来からの冷房装置や冷暖房装置にも採用されているから、詳細は省略される。
【００２２】
本温度制御システムの大きな特徴の一つは、前記エバポレータ部への入力側冷媒流路と前記エバポレータ部からの出力側冷媒流路とが近接配置されていて、該出力側冷媒流路を通る冷媒によって該入力側冷媒流路を通る冷媒が冷却作用を受けるよう構成されていることである。このように構成することで、エバポレータ部に流れ込んで行く冷媒が、外気温は４０℃と言った高温下でも、十分に、冷却されており、温度制御（冷房）が効果的に行われる。しかも、余分に大きな装置（設備）を必要とせず、装置が大型化しない。従って、コストが低廉である。かつ、簡単に実施できる。
【００２３】
前記入力側冷媒流路と前記出力側冷媒流路との近接配置の一例として、前記出力側冷媒流路と前記入力側冷媒流路とを二重筒状に構成することが挙げられる。例えば、内筒が出力側冷媒流路で、外筒が入力側冷媒流路となった二重筒状体が挙げられる。或は、外筒が出力側冷媒流路で、内筒が入力側冷媒流路となった二重筒状体が挙げられる。前記二つの形態の中でも、前者（内筒が出力側冷媒流路、外筒が入力側冷媒流路の二重筒状体）が好ましい。なぜならば、出力側冷媒流路を流れる温度が低い冷媒が外側に在ると、温度が低い冷媒は外気からの熱（外気温）の影響をも受ける。これに対して、出力側冷媒流路を流れる温度が低い冷媒が内側に在ると、その外側には入力側冷媒流路を流れる冷媒が存在しており、外気の影響が少ない。すなわち、出力側冷媒流路を流れる温度が低い冷媒は、入力側冷媒流路を流れる冷媒を冷やすことにのみ使用されるから、これからエバポレータ部に入って行く冷媒の冷却効率が高い。そして、入力側冷媒流路を流れる冷媒が螺旋状に流れるようになっていると、出力側冷媒流路を流れる温度が低い冷媒との間で行われる熱交換が、それだけ長時間に亘るものになる。従って、これからエバポレータ部に入って行く冷媒の冷却度が高い。すなわち、冷媒が入力側冷媒流路を螺旋状に流れるようなガイド手段が設けられていることが好ましい。近接配置の形態としては、冷却効率は多少低下するものの、並列接合配置も考えられる。その他にも各種の形態が適宜考えられる。
【００２４】
温度制御システムは、一般的に、膨張弁を具備している。特に、冷媒がエバポレータ部に流入する直前位置に膨張弁が設けられている。この膨張弁により、エバポレータ部に流入する冷媒量が調整される。この膨張弁に対応して膨張弁調整作動用センサが設けられている。本発明の好ましい形態では、前記センサは、出力側冷媒流路を通る冷媒によって入力側冷媒流路を通る冷媒が冷却作用を受けた後の位置に対応して設けられる。出力側冷媒流路と入力側冷媒流路とが二重筒状体で構成されている場合には、この二重筒状体の位置に前記センサは設けられている。特に、二重筒状体の終点（出力側冷媒流路での終点）位置を過ぎた直後の位置である。ここで、直後とは、前後の位置に多少の幅を持っている。このように構成させていると、入力側冷媒流路が対応する位置の前位置において、冷媒が、既に、完全に、蒸発してしまっていると言ったことが無く、出力側冷媒流路を流れて来た冷媒によって入力側冷媒流路を流れて行く冷媒が効率良く冷却される。
【００２５】
本発明の温度制御システムは、好ましくは、容器および送風装置を更に具備している。そして、冷媒流路の一部が前記容器内に存するよう構成されている。このように構成させておくことで、前記送風装置からの送風によって前記容器内の液体が上下動する液面高さが前記容器内における冷媒流路の高さより高くなったり低くなったりする。これによって、冷媒流路の冷却効果が高まる。例えば、冷媒流路が完全に液中に沈んでいる場合よりも、冷却効果が高かった。従って、このような手段がコンプレッサ部とコンデンサ部との間に講じられていると、コンデンサ部に流れて来る冷媒が予め効果的に冷却されているから、コンデンサ部の能力が小さくても済む。
【００２６】
第２の本発明は温度制御（調整）方法である。エバポレータ部で冷媒を気化させることによる温度制御方法である。そして、前記エバポレータ部からの出力側冷媒流路を通る冷媒により、前記エバポレータ部への入力側冷媒流路を通る冷媒を冷却する工程を有する。例えば、出力側冷媒流路と入力側冷媒流路とが二重筒状に構成されていて、前記出力側冷媒流路を通る冷媒により前記入力側冷媒流路を通る冷媒を冷却する工程を有する。更に具体的に説明すると、出力側冷媒流路を通る冷媒により、前記出力側冷媒流路の外周に配置された入力側冷媒流路を通る冷媒を冷却する工程を有する。或いは、出力側冷媒流路を通る冷媒により、前記出力側冷媒流路の内側に配置された入力側冷媒流路を通る冷媒を冷却する工程を有する。冷媒は、入力側冷媒流路において、好ましくは、螺旋状に流れるようにする。好ましくは、出力側冷媒流路を通る冷媒中に液体状態のものが残存するようエバポレータ部における冷媒の気化量を制御する。
【００２７】
以下、更に詳しく説明する。
【００２８】
図１〜図６は本発明になる温度制御システムの一実施形態を示すものである。図１は全体の概略図、図２はエバポレータ部の正面図、図３はエバポレータ部の平面図、図４はエバポレータ部の側面図、図５はエバポレータ部への入力側冷媒流路とエバポレータ部からの出力側冷媒流路との関係を示す構造図、図６はコンプレッサ部とコンデンサ部との間に設けられた中央ドレンパン部の説明図である。
【００２９】
各図中、１はコンプレッサ部である。２はコンデンサ部である。２ａはコンデンサコイル、２ｂはフィンである。３はエバポレータ部である。３ａはエバポレータコイル、３ｂはフィンである。４は冷媒流路である。５は膨張弁（エキスパンジョンバルブ）である。６はサイドグラスである。７はドライヤである。
【００３０】
コンプレッサ部１で圧縮された冷媒は、高温（例えば、６５〜１００℃）・高圧の一部液体の状態になっている。この一部液体状態の冷媒は、冷媒流路４を介して、次段階に流れて行く。コンデンサ部２において、一部液体状態の冷媒は、コンデンサファン８からの風で冷却（例えば、４５〜６０℃）され、更に液化が進む。この液化が更に進んだ状態の４０〜５５℃の冷媒は、エキスパンジョンバルブ５の微小なノズル孔からエバポレータ部３に噴射される。ここで、液状の冷媒は、急速に、気化する。気化した冷媒は、エバポレータ部３（フィン３ｂ）周辺の熱を奪い取る。これによって、エバポレータ部３が冷却される。ここに、ブロワファン９の風を通過させ、冷風を起す。室内の空気中の水分は、冷たくなっているエバポレータ部３（フィン３ｂ）表面で凝縮され、水滴となる。エバポレータ部３を出た冷媒は、冷媒流路４を介して、コンプレッサ部１に戻る。コンプレッサ部１に戻る直前の冷媒の温度は、例えば１５〜３０℃である。コンプレッサ部１に戻った冷媒は、完全に、気化しており、再び、圧縮作用を受ける。基本的に前記の如きの循環サイクルを経て、室内の冷房が行われる。
【００３１】
１０は二重筒体である。二重筒体１０は、内筒１１と外筒１２とからなる。内筒１１は、エバポレータ部３のエバポレータコイル３ａで殆ど気化した状態（但し、僅かな量であるが、一部は未だ液体で残存）の冷媒が流れている。すなわち、内筒１１はエバポレータ部３からの出力側冷媒流路である。厳密な表現では、内筒１１は出力側冷媒流路の一部である。外筒１２は、エキスパンジョンバルブ５から噴射される直前の冷媒が流れている。すなわち、外筒１２はエバポレータ部３への入力側冷媒流路である。厳密な表現では、外筒１２は入力側冷媒流路の一部である。従って、内筒１１や外筒１２は冷媒流路４の一部を構成している。すなわち、コンデンサ部２で更に液化が進んだ冷媒は、外筒１２を流れて行き、エキスパンジョンバルブ５から噴射される。エバポレータ部３を経て殆ど気化した冷媒は内筒１１内を流れて行く。内筒１１内を流れている冷媒は、僅かな量ではあろうが、液体状態のものが存在している。と言うよりも、内筒１１内を流れている冷媒中に一部液体状態のものが積極的に残存しているようにエキスパンジョンバルブ５が制御されている。この制御は、二重筒体１０の出力側終端（入力側始端）位置に設けられたセンサ（感温筒）１３によって行われる。すなわち、センサ１３によって検出された温度が所定温度であるようにエキスパンジョンバルブ５の開閉度が制御される。これにより、内筒１１に至る前段階において、冷媒の全部が気化してしまっていると言った事態にはならない。従って、内筒１１内を流れる冷媒と外筒１２と内筒１１との間を流れる冷媒との間で熱交換が効果的に行われる。すなわち、外筒１２と内筒１１との間を流れている冷媒（温度が、例えば、４０〜５５℃）は、内筒１１内を流れている低温の冷媒（温度が、例えば、７〜１５℃）によって、冷却作用を受け、より低温のものになる。ここで、外筒１２と内筒１１との間を流れている冷媒の冷却作用を高める為、内筒１１の外壁と外筒１２の内壁との間には、螺旋状のガイド壁１４が設けられている。すなわち、外筒１２と内筒１１との間を流れている冷媒を螺旋状に流すことにより、二重筒体１０の長さが同じでも、エキスパンジョンバルブ５に至る二重筒体１０を通過する冷媒の滞留時間は長くなり、それだけ、エキスパンジョンバルブ５に至る冷媒の冷却度が高まる。
【００３２】
１５はドレンパンである。このドレンパン１５内には、コンプレッサ部１とコンデンサ部２との間の冷媒流路４が配設されている。１６はファンダクトである。１７はシロッコファンである。このシロッコファン１７からの風が、ファンダクト１６に案内され、ドレンパン１５の一端側開口から吹き込まれ、他端側開口から吹き出るように構成されている。従って、ドレンパン１５に溜まっている水は、吹き込まれた空気（風）によって、波打つ。この波打現象（水面上下動現象）により、ドレンパン１５内を通っている冷媒流路４は、水面下に在ったり、水面上に在ったりするようになる（図６参照）。
【００３３】
尚、ドレンパン１５内の冷媒流路４の表面には、所謂、植毛塗装が施されている。すなわち、冷媒流路４の表面が恰も毛羽立っているかの如きの表面処理が施されている。この植毛（毛羽立部）によって、水分が効果的に吸い上げられ、そして効果的に蒸発するようになる。この結果、冷却効果が一層高まる。
【００３４】
１８はサーモスイッチである。本システムは外気温が低い環境下でも冷房動作が必要な場合にも応用される。例えば、テレビ放送などの中継車用の空調機器として利用される場合、外気温が低い冬季でも、放送機器類の発熱による影響を緩和する為、室内は冷房されなければならない場合がある。このような場合において、ドレンパン１５とコンデンサ部２との間の冷媒流路４の温度が規定値になった場合、ドレンパン１５とコンデンサ部２との間の冷媒流路４に設けられたサーモスイッチ１８によりシロッコファン１７の動作が停止させられ、送風停止となるように構成されている。すなわち、外気温が低いことが検出された場合には、送風を停止し、ドレンパン１５による冷却効果が弱くなるようになっている。
【００３５】
前記の如くに構成させていると、即ち、エバポレータ部３への入力側冷媒流路（外筒１２）とエバポレータ部３からの出力側冷媒流路（内筒１１）とが近接配置（二重筒構造）であることから、出力側冷媒流路１１を通る冷媒によって入力側冷媒流路１２を通る冷媒が冷却作用を受ける。これにより、エバポレータ部３に流れ込んで行く冷媒が、外気温は４０℃と言った高温下でも、十分に、冷却されており、外気温が４０℃と言った高温になった場合に、従来、頻繁に起きていた室内冷房不能と言った現象が解決できた。因みに、外気温が６０℃でも、冷房動作が行われた。
【００３６】
さて、出力側冷媒流路１１を通る冷媒による入力側冷媒流路１２を通る冷媒に対する冷却作用を一層効果的なものとする為、前記にあっては、センサ（感温筒）１３を二重筒体１０の出力側終端（入力側始端）位置に設けた。すなわち、感温筒１３で検出された温度が所定値となるようにエキスパンジョンバルブ（膨張弁）５の開閉度が調整されているので、出力側冷媒流路１１を通る冷媒には、僅かではあるものの、液状態のものが残存している。従って、入力側冷媒流路１２を通る冷媒との間で熱交換が効果的に行われる。すなわち、入力側冷媒流路１２を通る冷媒が効果的に冷却される。
【００３７】
又、上記実施形態にあっては、コンプレッサ部１とコンデンサ部２との間の冷媒流路４をドレンパン１５内に配置し、ドレンパン１５の一端側開口から風を吹き込み、ドレンパン１５内の水（ドレン水）を波立たせ、ドレンパン１５内の冷媒流路４を水面下に在ったり水面上に在ったりするようにしたから、この箇所において冷媒が効果的に冷却される。従って、コンデンサ部２に余計な能力を要求されない。すなわち、コンデンサ部２の能力が小さくても済む。
【００３８】
例えば、ドレンパン１５が設けられて無い場合（ケース１）、ドレンパン１５が設けられたものの、ドレンパン１５内に水が十分に入れられていて、シロッコファン１７からの風が送られて来て、水が波立つようになっても、冷媒流路４は依然として水面下に在る場合（ケース２）、シロッコファン１７からの風が送られて来て、水が波立つ結果、冷媒流路４は水面下に在ったり水面上に在ったりする場合（ケース３）において、動作開始後の３０分経過後に、コンデンサ入口部における冷媒の温度が測定されたので、その結果が下記の表−１に示される。この表−１から、上記実施形態の如くに構成させることの特長が直ちに理解できる。
表−１
外気温    コンデンサ入口部での冷媒温度（コンデンサ入口部での冷媒流路温度）
ケース１     ケース２     ケース３  
２５℃          ６９℃                ６５℃                ６２℃
３０℃          ７８℃                ７５℃                ６９℃
３５℃          ９６℃                ９３℃                ８５℃
【符号の説明】
【００３９】
１        コンプレッサ部
２        コンデンサ部
２ａ      コンデンサコイル
２ｂ      フィン
３        エバポレータ部
３ａ      エバポレータコイル
３ｂ      フィン
４        冷媒流路
５        膨張弁（エキスパンジョンバルブ）
６        サイドグラス
７        ドライヤ
８        コンデンサファン
９        ブロワファン
１０      二重筒体
１１      内筒（エバポレータ部からの出力側冷媒流路）
１２      外筒（エバポレータ部への入力側冷媒流路）
１３      センサ（感温筒）
１４      ガイド壁
１５      ドレンパン
１６      ファンダクト
１７      シロッコファン
１８      サーモスイッチ
【図１】
2011242059.tif 000003
【図２】
2011242059.tif 000004
【図３】
2011242059.tif 000005
【図４】
2011242059.tif 000006
【図５】
2011242059.tif 000007
【図６】
2011242059.tif 000008